(57)【特許請求の範囲】
【請求項１】
有底筐状の収容部と、
該収容部の開口部を開閉可能に閉塞する蓋部と、
前記収容部と前記蓋部との間に包装袋の端部を挿通可能に設けられ、前記包装袋に収納された内容物を絞り出して前記収容部の内部に収納可能な絞り出し部と、を備え、
前記絞り出し部は、
前記収容部に設けられる第１押圧部と、
前記第１押圧部と対向するように前記蓋部に設けられる第２押圧部と、
前記蓋部の開放状態において前記第１押圧部と前記第２押圧部との間に前記包装袋の端部を挿通可能に設けられるスリットと、
前記蓋部に前記第２押圧部と近接するように該第２押圧部から前記収容部の内部側方向に離間して設けられる第３押圧部と、
前記第３押圧部と対向するように前記収容部に設けられる凹陥部と、を有し、
前記蓋部の閉塞状態において、前記スリットに挿通された前記包装袋の端部を前記第１押圧部及び前記第２押圧部にて挟持押圧し、該挟持押圧している包装袋の端部のうち、前記収容部の開口部側に位置する近接部を前記第３押圧部が前記凹陥部に向けて押圧してなる絞り出し容器。
【請求項２】
前記第１押圧部の押圧面の面積は、前記第２押圧部の押圧面の面積よりも大きい請求項１に記載の絞り出し容器。
【請求項３】
前記第３押圧部の押圧面は、前記第２押圧部の押圧面よりも突出してなる請求項１又は２に記載の絞り出し容器。
【発明の詳細な説明】
【技術分野】
【０００１】
本発明は、包装袋の内容物を絞り出して収納可能な絞り出し容器に関する。
【背景技術】
【０００２】
従来の包装袋としては、例えば、食品、歯磨剤、医薬品、化粧品、塗料、接着剤、シーリング剤等の内容物が収納されるラミネートチューブや、加圧加熱殺菌されたレトルト食品等の内容物が収納される気密性及び遮光性を有するレトルトパウチや、発酵食品等の内容物が収納されるガスバリア性を有するラミネート袋などが知られている。この種の包装袋では、包装袋の一端部を開封又は切除し、包装袋の他端部を一方の手で把持しながら、他方の手で把持したトングの２本の棒状部分で包装袋の他端部を挟持し、この状態でトングを他端部側から一端部側に向けて移動させることによって、包装袋に収納された内容物を絞り出すものが知られている（特許文献１参照）。
【先行技術文献】
【特許文献】
【０００３】
【特許文献１】実用新案登録第３１９００６３号公報
【発明の概要】
【発明が解決しようとする課題】
【０００４】
しかしながら、前記従来のトングでは、包装袋に収納された内容物を絞り出すとき、一方の手で包装袋の他端部を把持しながら、他方の手でトングを把持しているから、すなわち、トングを片手で把持することになるから、トングを他端部側から一端部側に向けて移動させるときに、トングに大きな力を加えることが非常に困難であった。このため、この種のトングでは、特に、包装袋に収納された味噌、練りからし、練りわさび等の粘度が高い内容物を絞り出すことができないといった問題があった。
【０００５】
また、前記従来のトングでは、例えば、包装袋に収納された内容物を絞り出して容器に収納する場合には、トングと容器とを各別に用意する必要があるから、包装袋から絞り出された内容物を容器に収納することが極めて煩雑であるといった問題があった。
【０００６】
本発明は、上述の事情に鑑みて、包装袋に収納された粘度が高い内容物を容易に絞り出すことができるとともに、包装袋から絞り出された内容物を簡単に収納することができる絞り出し容器を提供することを目的としている。
【課題を解決するための手段】
【０００７】
上記目的を達成するための手段を図面の参照符号を付して示せば、請求項１の発明に係る絞り出し容器１は、有底筐状の収容部２と、収容部２の開口部２ｂを開閉可能に閉塞する蓋部３と、収容部２と蓋部３との間に包装袋１０の他端部１０ｃ（端部）を挿通可能に設けられ、包装袋１０に収納された内容物１１を絞り出して収容部２の内部に収納可能な絞り出し部４と、を備え、
前記絞り出し部４は、
前記収容部２に設けられる第１押圧部４ａと、
前記第１押圧部４ａと対向するように前記蓋部３に設けられる第２押圧部４ｂと、
前記蓋部３の開放状態において前記第１押圧部４ａと前記第２押圧部４ｂとの間に前記包装袋１０の他端部１０ｃ（端部）を挿通可能に設けられるスリット４ｃと、
前記蓋部３に前記第２押圧部４ｂと近接するように該第２押圧部４ｂから前記収容部２の内部側方向に離間して設けられる第３押圧部４ｄと、
前記第３押圧部４ｄと対向するように前記収容部２に設けられる凹陥部４ｅと、を有し、
前記蓋部３の閉塞状態において、前記スリット４ｃに挿通された前記包装袋１０の他端部１０ｃ（端部）を前記第１押圧部４ａ及び前記第２押圧部４ｂにて挟持押圧し、該挟持押圧している包装袋１０の他端部１０ｃ（端部）のうち、前記収容部２の開口部２ｂ側に位置する近接部１０ｅを前記第３押圧部４ｄが前記凹陥部４ｅに向けて押圧してなることを特徴としている。
【０００９】
請求項２の発明は、上記請求項１の絞り出し容器１において、第１押圧部４ａの押圧面Ａの面積は、第２押圧部４ｂの押圧面Ｂの面積よりも大きいことを特徴としている。
【００１１】
請求項３の発明は、上記請求項１又は２に記載の絞り出し容器１において、第３押圧部４ｄの押圧面Ｃは、第２押圧部４ｂの押圧面Ｂよりも突出してなることを特徴としている。
【発明の効果】
【００１２】
以下に、本発明の効果について、図面の参照符号を付して説明する。請求項１の発明に係る絞り出し容器１の構成によれば、包装袋１０に収納された内容物１１が、味噌、練りからし、練りわさび等の粘度が高いものであっても、包装袋１０に収納された内容物１１を容易に確実に絞り出すことができるとともに、包装袋１０から絞り出された内容物１１を収容部２の内部に簡単に収納することができる。
【００１４】
請求項２の発明によれば、第１押圧部４ａの押圧面Ａの面積は、第２押圧部４ｂの押圧面Ｂの面積よりも大きいから、例えば、収容部２や蓋部３にがたつきがあったとしても、蓋部３を閉塞したときに、蓋部３の第２押圧部４ｂを収容部２の第１押圧部４ａに確実に接触させることができる。これにより、第１押圧部４ａ及び第２押圧部４ｂによって、スリット４ｃに挿通された包装袋１０の他端部１０ｃ（端部）を確実に挟持押圧することができる。
【００１６】
請求項３の発明によれば、第３押圧部４ｄの押圧面Ｃは、第２押圧部４ｂの押圧面Ｂよりも突出してなるから、第３押圧部４ｄによって、スリット４ｃに挿通された包装袋１０の他端部１０ｃ（端部）の近接部１０ｅを凹陥部４ｅに向けて確実に押圧することができる。
【図面の簡単な説明】
【００１７】
【図１】本発明の一実施形態に係る絞り出し容器を例示する斜視図である。
【図２】同実施形態に係る絞り出し容器の絞り出し部を拡大して例示する斜視図である。
【図３】同実施形態に係る絞り出し容器の絞り出し部を拡大して例示する縦断面図である。
【図４】同実施形態に係る絞り出し容器を例示し、包装袋の端部を絞り出し部に挿通した状態を示す斜視図である。
【図５】同実施形態に係る絞り出し容器を例示し、包装袋の端部を両手で引っ張って絞り出し部によって包装袋に収納された内容物を絞り出している状態を示す斜視図である。
【図６】同実施形態に係る絞り出し容器を例示し、蓋部を開放状態とし、包装袋の端部を絞り出し部に挿通した状態を示す縦断面図である。
【図７】同実施形態に係る絞り出し容器を例示し、蓋部を閉塞状態とし、絞り出し部によって包装袋の端部を挟持押圧した状態を示す縦断面図である。
【図８】同実施形態に係る絞り出し容器を例示し、包装袋の端部を両手で引っ張って絞り出し部によって包装袋に収納された内容物を絞り出している状態を示す縦断面図である。
【図９】同実施形態に係る絞り出し容器を例示し、包装袋から絞り出された内容物が収容部の内部に収納された状態を示す縦断面図である。
【発明を実施するための形態】
【００１８】
以下に、本発明に係る絞り出し容器の一実施形態について、図面を参照して具体的に説明する。
【００１９】
図１に示すように、絞り出し容器１は、包装袋１０（図４及び図５参照）の内容物１１（図４参照）を絞り出して内部に収納可能なものである。絞り出し容器１は、例えば、各種の食品を内部に収納して冷蔵庫や冷凍庫等に保管するために密封可能な絞り出し容器である。なお、絞り出し容器１は、食品収納に限定されるものではなく、例えば、歯磨剤、医薬品、化粧品等の家庭用製品を収納する絞り出し容器や、塗料、接着剤、シーリング剤等の工業用製品を収納する絞り出し容器であってもよい。また、絞り出し容器１は、包装袋１０の内容物１１を絞り出して内部に収納する際において、例えば、図示しない机等の上面に載置されるとともに、図示しない固定手段によって机等に対して相対移動不能に固定されるのが好ましい。
【００２０】
包装袋１０は、例えば、ナイロン（登録商標）フィルムとポリエチレン（ＰＥ）フィルムとが積層された複合フィルムから形成され、平面視における外形が矩形となるように袋状をなし、開口から内部に内容物１１が収納された状態で開口が熱圧着（ラミネート加工）により封止されたガスバリア性（例えば、酸素バリア性）を有するラミネート袋である。包装袋１０は、図４及び図５に示すように、内部に内容物１１が収納される袋状の本体部１０ａと、本体部１０ａの一端（図４の下端）に設けられ切除することによって開口部１０ｄが設けられる一端部１０ｂと、本体部１０ａの他端（図５の上端）に設けられ後述する絞り出し容器１の絞り出し部４のスリット４ｃに挿通される他端部１０ｃと、を有する。包装袋１０は、蓋部３の開放状態において本体部１０ａ及び他端部１０ｃがスリット４ｃを挿通可能な厚みを有する。なお、包装袋１０は、ナイロン（登録商標）フィルムとＰＥフィルムとが積層された複合フィルムから形成されるものに限定されるものではなく、例えば、ポリエチレンテレフタラート（ＰＥＴ）フィルム、ポリプロピレン（ＰＰ）フィルム等の合成樹脂フィルムやアルミニウム箔等の金属フィルムを蒸着等によって積層した複合フィルムから形成されるものであってもよい。また、包装袋１０は、ラミネート袋に限定されるものではなく、蓋部３の開放状態において本体部１０ａ及び他端部１０ｃがスリット４ｃを挿通可能な厚みを有するものであれば、平面視における外形が任意の形状となるように袋状をなしていてもよく、例えば、ラミネートチューブ、スタンディングパウチ、レトルトパウチ、スキンパック等であってもよい。
【００２１】
内容物１１は、例えば、粘度が高い味噌等の発酵食品であって、絞り出し容器１の内部に絞り出し収納されて冷蔵庫や冷凍庫等に保管されるものである。ここで、粘度が高い内容物１１とは、図４に示すように、内容物１１を包装袋１０に収納した状態で包装袋１０の一端部１０ｂを切除して開口部１０ｄを設け、この開口部１０ｄを下側に向けたとき、内容物１１が開口部１０ｄから下方に流動しないものをいう。さらに詳細には、粘度が高いとは、例えば、ＪＩＳ（日本工業規格）  Ｚ８８０３（液体の粘度測定方法）に準拠して測定された粘度が、５Ｐａ・ｓ〜１００Ｐａ・ｓとなる中粘度であること、及び１００Ｐａ・ｓ〜１０００Ｐａ・ｓとなる高粘度であることをいう。中粘度である内容物１１として、例えば、味噌、練りからし、練りわさび、マヨネーズ、ケチャップ、蜂蜜、ジャム、シロップ、歯磨剤、ハンドクリーム等のクリーム、塗料、絵具、水溶性接着剤等の接着剤、シーリング剤などが例示される。高粘度である内容物１１として、例えば、マスタード、水飴、印刷用インク、はんだペースト、導電ペースト、セメントペーストなどが例示される。なお、内容物１１は、上記に例示した、エマルション（乳濁液）、サスペンション（懸濁液、スラリー）等の液体に限定されるものではなく、例えば、パン粉、小麦粉、セメントパウダー、粘土パウダーなどの粉粒体等の固体であってもよい。
【００２２】
絞り出し容器１は、図１に示すように、上部に開口部２ｂを有する有底筐状の収容部２と、収容部２の開口部２ｂを前後方向に開閉可能に閉塞する蓋部３と、図４に示すように、収容部２と蓋部３との間に包装袋１０の他端部１０ｃを挿通可能に設けられ、包装袋１０に収納された内容物１１を絞り出して収容部２の内部に収納可能な絞り出し部４と、を備える。
【００２３】
収容部２は、図１に示すように、下部に図示しない平面視で矩形の底部を有する有底筐状の本体部２ａと、本体部２ａの上部に設けられる開口部２ｂと、本体部２ａの上部において開口部２ｂの前部及び両側部の周囲に沿ってコ字状となるように設けられる密封部２ｃと、本体部２ａの後面の上部に矩形板状の取付部２ｅを介して設けられ蓋部３を着脱可能かつ開閉自在に装着するためのヒンジ部２ｄと、を有する。収容部２は、例えば、ＰＰ又はＰＥＴの射出成型によって一体的に形成されるものであって、外部から内部を視認可能な透明樹脂により形成される。
【００２４】
本体部２ａは、図４に示すように、包装袋１０から絞り出された内容物１１を内部に収納するものであって、外形形状が横長の直方体形状となるように形成されており、角部が滑らかに湾曲するように丸められた形状をなしている。なお、本体部２ａの外形形状は、横長の直方体形状に限定されるものではなく、例えば、縦長の直方体形状や、円筒形状であってもよい。開口部２ｂは、図１に示すように、本体部２ａの上方の全部が開口する矩形状のものであって、本体部２ａと同様に、角部が滑らかに湾曲するように丸められた形状をなしている。本体部２ａの後面の上端部は、少なくとも取付部２ｅが設けられる部分が切り欠かれており、これにより、本体部２ａの後面の上端面は、本体部２ａの前面及び両側面の上端面よりも低くなっている。
【００２５】
密封部２ｃは、図１に示すように、開口部２ｂの前部及び両側部の周囲に沿ってコ字状となるように外方に突出して設けられ、蓋部３の閉塞状態において、蓋部３の密封部３ｃが隙間なく接触して密封するものである。ヒンジ部２ｄは、図２に示すように、蓋部３のヒンジ部３ｄが着脱可能かつ開閉自在に装着される引掛蝶番の軸支部であって、取付部２ｅの後面において互いに離間する２箇所に設けられる。ヒンジ部２ｄは、図２及び図３に示すように、丸棒状の軸部材２ｄ１を、後方に突出し互いに離間するように４箇所に設けられる板状の支持部材２ｄ２によって支持するとともに、取付部２ｅの後面に板状の支持部材２ｄ２の前面が一体的に設けられるものである。取付部２ｅは、図２及び図３に示すように、本体部２ａの後面の上端部に本体部２ａと一体で設けられ、ヒンジ部２ｄ、後述する絞り出し部４の第１押圧部４ａ及び凹陥部４ｅを本体部２ａに取り付けるためのものである。なお、取付部２ｅは、本体部２ａと別体で設けてもよく、例えば、取付部２ｅを本体部２ａの後面の上端部にねじ止めや接着等の固定手段によって固定してもよい。
【００２６】
蓋部３は、図１及び図５に示すように、収容部２の開口部２ｂを開閉可能に閉塞するものであって、図５に示すように、蓋部３の閉塞状態において開口部２ｂの全部を覆うことができる矩形板状の本体部３ａと、蓋部３の閉塞状態において本体部３ａの外周部の前部及び両側部の周囲に沿ってコ字状となるように外方に突出するように設けられる密封部３ｃと、蓋部３の閉塞状態において密封部３ｃの外周部の前側の一方の角部（図５では、左側の角部）の外方に舌状に突出して設けられる把手部３ｂと、図１に示すように、蓋部３の開放状態において本体部３ａの外周部の下部に矩形板状の連結部３ｅを介して設けられ蓋部３を着脱可能かつ開閉自在に装着するためのヒンジ部３ｄと、を有する。蓋部３は、収容部２と同一の材料により形成されており、収容部２と同様に、ＰＰ又はＰＥＴの射出成型によって一体的に形成されるものであって、外部から内部を視認可能な透明樹脂により形成される。
【００２７】
本体部３ａは、図１に示すように、外形が開口部２ｂと同一の矩形状をなしており、開口部２ｂと同様に、角部が滑らかに湾曲するように丸められた形状をなしている。本体部３ａは、図５に示すように、上面が平坦となるように形成されており、蓋部３の閉塞状態において、本実施形態の絞り出し容器１の蓋部３の上面に、本実施形態と同一の別の絞り出し容器１の収容部２の下面を載置することによって、本実施形態の絞り出し容器１に本実施形態と同一の別の絞り出し容器１を積み重ねることができる。把手部３ｂは、蓋部３を開閉するときに把持するための部分であって、把手部３ｂを掴んで引き上げる動作及び把手部３ｂを掴んで引き戻す動作によって、蓋部３を開閉することができる。なお、把手部３ｂは、上記の形状や配置に限定されるものでなく、例えば、本体部３ａの上面の中央位置に収納可能な鉤状のものであってもよいし、あるいは、把手部３ｂを設けない構成であってもよい。また、把手部３ｂに代えて、蓋部３は、蓋部３の閉塞状態において蓋部３を収容部２に固定する固定手段として、例えば、合成樹脂製のパッチン錠（パチン錠）等の留め金をさらに有していてもよい。この場合、蓋部３を強固に閉塞することができるから、後述する絞り出し部４の第１押圧部４ａ及び第２押圧部４ｂ（図２参照）が、後述する絞り出し部４のスリット４ｃ（図２参照）に挿通された包装袋１０の他端部１０ｃを確実に挟持押圧することができる。さらに、蓋部３は、収容部２の内部に収納された内容物１１の取り出し口として、本体部３ａの上面において、開閉可能な蓋付きの開口をさらに有していてもよい。この場合、蓋部３が閉塞状態であっても、蓋部３の開口から収容部２の内部に収納された内容物１１を取り出すことができる。
【００２８】
密封部３ｃは、図１に示すように、収容部２の開口部２ｂの外縁部に断面Ｕ字形状の溝部が密着して装着されるとともに、収容部２の密封部２ｃに外周部が隙間なく接触して密封するシール部材（パッキン）である。密封部３ｃは、図５に示すように、蓋部３の閉塞状態において開口部２ｂ（図１参照）の外縁部及び密封部２ｃ（図１参照）と対向する位置において対向する方向（図５では、下方）に突出するものである。ヒンジ部３ｄは、図２に示すように、収容部２のヒンジ部２ｄに着脱可能かつ開閉自在に装着される引掛蝶番の係止部材３ｄ１を有しており、連結部３ｅの前面の後述する絞り出し部４の第２押圧部４ｂの両側において互いに離間する２箇所に設けられる。ヒンジ部３ｄは、図２及び図３に示すように、互いに離間するように２箇所に設けられる断面Ｕ字形状に屈曲した板状の係止部材３ｄ１がヒンジ部２ｄの軸部材２ｄ１に着脱可能かつ回動自在に係止され、これにより、蓋部３は、収容部２に対して着脱可能かつ開閉自在となる。連結部３ｅは、図１及び図２に示すように、蓋部３の開放状態において本体部３ａの下面から下方に向けて一体的に延出される板状の部分である。連結部３ｅは、図２及び図３に示すように、ヒンジ部３ｄと、後述する絞り出し部４の第２押圧部４ｂ及び第３押圧部４ｄと、を本体部３ａに連結するものである。ヒンジ部３ｄ、第２押圧部４ｂ及び第３押圧部４は、図２に示すように、蓋部３の開放状態において連結部３ｅの下端部から前方に向けて突出してなるものである。なお、上記の構成では、連結部３ｅと本体部３ａとが一体で構成されていたが、これに限定されるものではなく、連結部３ｅと本体部３ａとを別体で構成し、例えば、連結部３ｅを本体部３ａに接着固定する構成にしてもよい。
【００２９】
絞り出し部４は、図１、図２及び図４に示すように、蓋部３の開放状態において収容部２と蓋部３との間に包装袋１０の他端部１０ｃを挿通可能に設けられ、図５に示すように、蓋部３の閉塞状態において包装袋１０に収納された内容物１１を絞り出して収容部２の内部に収納可能なものである。絞り出し部４は、図２及び図３に示すように、収容部２に設けられる第１押圧部４ａと、第１押圧部４ａと対向するように蓋部３に設けられる第２押圧部４ｂと、蓋部３の開放状態において第１押圧部４ａと第２押圧部４ｂとの間に包装袋１０の他端部１０ｃを前方から挿通可能に設けられるスリット４ｃと、第２押圧部４ｂと近接するように蓋部３に設けられる第３押圧部４ｄと、第３押圧部４ｄと対向するように収容部２に設けられる凹陥部４ｅと、凹陥部４ｅの前側に隣接するように収容部２の取付部２ｅの上端部に設けられる第４押圧部４ｆと、第４押圧部４ｆの前側に隣接するように収容部２の本体部２ａの後側の上端部に設けられる第５押圧部４ｇと、を有する。第１押圧部４ａ及び第２押圧部４ｂは、図３に示すように、蓋部３の閉塞状態において、スリット４ｃに挿通された包装袋１０の他端部１０ｃを挟持押圧してなるとともに、第３押圧部４ｄは、蓋部３の閉塞状態において、スリット４ｃに挿通された包装袋１０の他端部１０ｃの近接部１０ｅを凹陥部４ｅに向けて押圧してなる。なお、図３では、左側に位置する閉塞状態の蓋部３を実線で示すとともに、右側に位置する開放状態の蓋部３を２点鎖線で示す。
【００３０】
第１押圧部４ａは、図３に示すように、前面が収容部２の取付部２ｅの後面と平行になるように離間して設けられる板状部材であって、第１押圧部４ａの下部が前方に屈曲して取付部２ｅの後面と一体的に連結固定されるものである。第２押圧部４ｂは、蓋部３の連結部３ｅの後端部から下方に突出して連結部３ｅの下面と一体的に連結固定されるものである。第１押圧部４ａの上部は、さらに後方に突出した形状をなしており、第１押圧部４ａの上面（押圧面Ａ）は、蓋部３の閉塞状態において、第２押圧部４ｂの下面（押圧面Ｂ）と対向する位置に配置される。スリット４ｃは、図２に示すように、蓋部３の開放状態及び包装袋１０の他端部１０ｃが挟持押圧したときにおける蓋部３の閉塞状態において矩形状の開口として現出するものである。なお、包装袋１０の他端部１０ｃが挟持押圧されないときにおける蓋部３の完全閉塞状態において、第１押圧部４ａの押圧面Ａと第２押圧部４ｂの押圧面Ｂとが接触するから、スリット４ｃが現出することはない。上記の構成によれば、蓋部３の開放状態において、図２に示すように、第１押圧部４ａと第２押圧部４ｂとの間に包装袋１０の他端部１０ｃを挿通可能に設けられるスリット４ｃが形成されるとともに、蓋部３の閉塞状態において、図３に示すように、第１押圧部４ａの押圧面Ａと第２押圧部４ｂの押圧面Ｂとによって、スリット４ｃに挿通された包装袋１０の他端部１０ｃが挟持押圧される。ここでは、絞り出し部４は、収容部２に設けられる第１押圧部４ａと、蓋部３に設けられる第２押圧部４ｂと、蓋部３の開放状態において第１押圧部４ａと第２押圧部４ｂとの間に包装袋１０の他端部１０ｃを挿通可能に設けられるスリット４ｃと、を有し、第１押圧部４ａ及び第２押圧部４ｂは、蓋部３の閉塞状態において、スリット４ｃに挿通された包装袋１０の他端部１０ｃを挟持押圧してなるから、スリット４ｃに包装袋１０の他端部１０ｃを挿通した状態で蓋部３を閉塞することによって、包装袋１０の他端部１０ｃの任意の厚みに合致するようにスリット４ｃの隙間を適宜調整することができる。さらに、ここでは、蓋部３の閉塞状態において、包装袋１０に収納された内容物１１を絞り出して収容部２の内部に収納するから、絞り出し部４によって絞り出された内容物１１の飛散を防止することができる。
【００３１】
また、図３に示すように、第１押圧部４ａの上部が後方に突出した形状をなしており、第１押圧部４ａの押圧面Ａの面積は、第２押圧部４ｂの押圧面Ｂの面積よりも大きい。ここでは、第１押圧部４ａの押圧面Ａの面積は、第２押圧部４ｂの押圧面Ｂの面積よりも大きいから、例えば、収容部２や蓋部３にがたつきがあったとしても、蓋部３を閉塞したときに、蓋部３の第２押圧部４ｂを収容部２の第１押圧部４ａに確実に接触させることができる。これにより、第１押圧部４ａ及び第２押圧部４ｂによって、スリット４ｃに挿通された包装袋１０の他端部１０ｃを確実に挟持押圧することができる。
【００３２】
第３押圧部４ｄは、図３に示すように、第２押圧部４ｂの前方に近接するように離間して設けられ、蓋部３の閉塞状態において蓋部３の連結部３ｅの後端部から下方に突出して連結部３ｅの下面と一体的に連結固定されるものである。詳細には、第３押圧部４ｄは、蓋部３の閉塞状態において、後面が第１押圧部４ａの前面よりも前方に位置しており、これにより、第３押圧部４ｄが第１押圧部４ａに接触することはない。また、第３押圧部４ｄは、蓋部３の閉塞状態において、前面が収容部２の取付部２ｅの上端部の後面よりも後方に位置しており、これにより、第３押圧部４ｄが取付部２ｅの上端部に接触することはない。したがって、第３押圧部４ｄは、蓋部３の閉塞状態において、下面（押圧面Ｃ）の全面が凹陥部４ｅに対向する位置に設けられる。凹陥部４ｅは、蓋部３の閉塞状態において、収容部２の取付部２ｅの上端部と第１押圧部４ａとの間の第３押圧部４ｄの下面（押圧面Ｃ）と対向する位置において下方に凹んでなるものあって、取付部２ｅの上端部と第１押圧部４ａとの連結部を底部とする断面コ字形状の溝である。上記の構成によれば、蓋部３の閉塞状態において、第３押圧部４ｄによって、スリット４ｃに挿通された包装袋１０の他端部１０ｃの前方において近接する近接部１０ｅが凹陥部４ｅに向けて押圧される。ここでは、絞り出し部４は、蓋部３の閉塞状態において、スリット４ｃに挿通された包装袋１０の他端部１０ｃの近接部１０ｅを凹陥部４ｅに向けて押圧する第３押圧部４ｄをさらに有するから、第３押圧部４ｄによって、内容物１１が絞り出された包装袋１０の他端部１０ｃをさらに押圧することで、包装袋１０に収納された内容物１１を確実に絞り出すことができる。
【００３３】
また、第３押圧部４ｄの押圧面Ｃは、図３に示すように、蓋部３の閉塞状態において、第２押圧部４ｂの押圧面Ｂよりも下方に突出してなる。ここでは、第３押圧部４ｄの押圧面Ｃは、第２押圧部４ｂの押圧面Ｂよりも突出してなるから、第３押圧部４ｄによって、スリット４ｃに挿通された包装袋１０の他端部１０ｃの近接部１０ｅを凹陥部４ｅに向けて確実に押圧することができる。
【００３４】
第４押圧部４ｆは、図３に示すように、スリット４ｃに挿通された包装袋１０の他端部１０ｃの近接部１０ｅの前方に位置する第１被押圧部１０ｆを上方に押圧するものである。具体的には、第４押圧部４ｆは、取付部２ｅの上面に設けられる矩形の平坦面（押圧面Ｄ）を有しており、蓋部３の閉塞状態において、第３押圧部４ｄによってスリット４ｃに挿通された包装袋１０の近接部１０ｅが凹陥部４ｅに向けて押圧されるとともに、包装袋１０の一端部１０ｂが本体部２ａの内部に懸垂されることによって、スリット４ｃに挿通された包装袋１０の第１被押圧部１０ｆが下方に引き込まれることにより、包装袋１０の第１被押圧部１０ｆを上方に押圧するものである。第５押圧部４ｇは、スリット４ｃに挿通された包装袋１０の第１被押圧部１０ｆの前方に位置する第２被押圧部１０ｇを上方に押圧するものである。具体的には、第５押圧部４ｇは、第４押圧部４ｆの押圧面Ｄと同一平面となるように本体部２ａの後側の上面に設けられる矩形の平坦面（押圧面Ｅ）を有しており、蓋部３の閉塞状態において、第３押圧部４ｄによってスリット４ｃに挿通された包装袋１０の近接部１０ｅが凹陥部４ｅに向けて押圧されるとともに、包装袋１０の一端部１０ｂが本体部２ａの内部に懸垂されることによって、スリット４ｃに挿通された包装袋１０の第２被押圧部１０ｇが下方に引き込まれることにより、包装袋１０の第２被押圧部１０ｇを上方に押圧するものである。また、第４押圧部４ｆの押圧面Ｄ及び第５押圧部４ｇの押圧面Ｅは、第１押圧部４ａの押圧面Ａと同一平面となるように形成される。上記の構成によれば、蓋部３の閉塞状態において、第４押圧部４ｆ及び第５押圧部４ｇによって、スリット４ｃに挿通された包装袋１０の第１被押圧部１０ｆ及び第２被押圧部１０ｇが上方に押圧される。ここでは、絞り出し部４は、蓋部３の閉塞状態において、スリット４ｃに挿通された包装袋１０の他端部１０ｃの近接部１０ｅよりも前方に位置する第１被押圧部１０ｆ及び第２被押圧部１０ｇを上方に押圧する第４押圧部４ｆ及び第５押圧部４ｇをさらに有するから、第４押圧部４ｆ及び第５押圧部４ｇによって、内容物１１が絞り出された包装袋１０の他端部１０ｃをさらに押圧することにより、包装袋１０に収納された内容物１１をさらに確実に絞り出すことができる。なお、図３では、第４押圧部４ｆ及び第５押圧部４ｇの両方を設けていたが、第４押圧部４ｆ及び第５押圧部４ｇのいずれか一方を設ける構成にしてもよい。
【００３５】
次に、包装袋１０の内容物１１を絞り出して絞り出し容器１の内部に収納する方法について詳細に説明する。
【００３６】
まず、図４及び図６に示すように、包装袋１０の他端部１０ｃに内容物１１があった場合は、包装袋１０の他端部１０ｃ側にある内容物１１を当該包装袋１０の一端部１０ｂ側へ手で移動させ、平らな状態にし、絞り出し容器１の絞り出し部４のスリット４ｃに前方から挿通し、包装袋１０の一端部１０ｂを切除して開口部１０ｄを設けた状態とする。次に、図７に示すように、蓋部３を閉塞状態として、包装袋１０の他端部１０ｃが第１押圧部４ａと第２押圧部４ｂとで押圧挟持された状態とする。次に、図５及び図８に示すように、包装袋１０の他端部１０ｃが第１押圧部４ａと第２押圧部４ｂとで押圧挟持された状態で、包装袋１０の他端部１０ｃを両手Ｈで把持して後方又は上方に引っ張ることによって、包装袋１０に収納された内容物１１が収容部２の内部に絞り出されて収納される。そして、包装袋１０の一端部１０ｂがスリット４ｃを完全に通過すると、図９に示すように、蓋部３が閉塞状態のまま、包装袋１０から絞り出された内容物１１の全てが収容部２の内部に収納される。
【００３７】
しかして、本実施形態によれば、絞り出し容器１は、収容部２と蓋部３との間に包装袋１０の他端部１０ｃを挿通可能に設けられ、包装袋１０に収納された内容物１１を絞り出して収容部２の内部に収納可能な絞り出し部４を備えるから、絞り出し部４に挿通された包装袋１０の他端部１０ｃを両手Ｈで引っ張ることによって、包装袋１０に収納された内容物１１が、味噌、練りからし、練りわさび等の粘度が高いものであっても、包装袋１０に収納された内容物１１を容易に絞り出すことができるとともに、包装袋１０から絞り出された内容物１１を収容部２の内部に簡単に収納することができる。
【００３８】
なお、本実施形態においては、包装袋１０の他端部１０ｃを両手Ｈで把持して後方又は上方に引っ張る例を示したが、内容物１１によっては、片方の手で、蓋部３（本体部３ａ）の上面を押え、絞り出し容器１が移動しないようにし、他方の手で、包装袋１０の他端部１０ｃを後方又は上方に引っ張るようにしても良い。
【符号の説明】
【００３９】
１      絞り出し容器
２      収容部
２ａ    本体部
２ｂ    開口部
２ｃ    密封部
２ｄ    ヒンジ部
２ｄ１  軸部材
２ｄ２  支持部材
２ｅ    取付部
３      蓋部
３ａ    本体部
３ｂ    把手部
３ｃ    密封部
３ｄ    ヒンジ部
３ｄ１  係止部材
３ｅ    連結部
４      絞り出し部
４ａ    第１押圧部
４ｂ    第２押圧部
４ｃ    スリット
４ｄ    第３押圧部
４ｅ    凹陥部
４ｆ    第４押圧部
４ｇ    第５押圧部
１０    包装袋
１０ａ  本体部
１０ｂ  一端部
１０ｃ  他端部
１０ｄ  開口部
１０ｅ  近接部
１０ｆ  第１被押圧部
１０ｇ  第２被押圧部
１１    内容物
Ａ      第１押圧部の押圧面
Ｂ      第２押圧部の押圧面
Ｃ      第３押圧部の押圧面
Ｄ      第４押圧部の押圧面
Ｅ      第５押圧部の押圧面
Ｈ      両手
【図１】
0006423775.tif 000002
【図２】
0006423775.tif 000003
【図３】
0006423775.tif 000004
【図４】
0006423775.tif 000005
【図５】
0006423775.tif 000006
【図６】
0006423775.tif 000007
【図７】
0006423775.tif 000008
【図８】
0006423775.tif 000009
【図９】
0006423775.tif 000010